(57)【要約】【課題】従来の加硫ブラダをそのまま用いて、ベルトのフラット化を実現可能な空気入りタイヤの製造方法及び転がり抵抗を低減可能な空気入りタイヤを提供する。【解決手段】この空気入りタイヤの製造方法は、加硫金型１０の内部にグリーンタイヤ６を配置し、該グリーンタイヤ６の内側に挿入したブラダ１１を加熱媒体の供給により膨張させることにより、ブラダ１１の外面をグリーンタイヤ６の内面に押し付けて該グリーンタイヤ６を加硫成形するにあたり、グリーンタイヤ６のインナーライナー１内面とブラダ１１の外面との間であって、少なくともベルト４の幅方向の各端部ＥＢに対応する領域に、周方向に連続する帯状の未加硫のゴム片８をそれぞれ介在させて加硫成形を行うものである。【選択図】図１
2011098533.tif 000002
【特許請求の範囲】
【請求項１】
加硫金型の内部にグリーンタイヤを配置し、該グリーンタイヤの内側に挿入したブラダを加熱媒体の供給により膨張させることにより、ブラダの外面をグリーンタイヤの内面に押し付けて該グリーンタイヤを加硫成形するにあたり、
前記グリーンタイヤの内面と前記ブラダの外面との間であって、少なくとも該グリーンタイヤに埋設されたベルトの幅方向の各端部に対応する領域に、周方向に連続する帯状の未加硫のゴム片をそれぞれ介在させて前記加硫成形を行うことを特徴とする空気入りタイヤの製造方法。
【請求項２】
前記ゴム片として、該ゴム片の幅方向の中央を中心に該ゴム片の幅の５０％領域を占める中央領域内にてその厚みが最大となる最厚部を有するとともに、該最厚部から幅方向両端部に向けてその厚みが漸減するゴム片を用いる、請求項１に記載の空気入りタイヤの製造方法。
【請求項３】
前記ベルトの各端部と、各ゴム片の前記中央領域とが径方向にみて重なるよう前記ゴム片をそれぞれ配置する、請求項２に記載の空気入りタイヤの製造方法。
【請求項４】
前記ゴム片として、その厚みが４〜８ｍｍのゴム片を用いる、請求項１〜３の何れか一項に記載の空気入りタイヤの製造方法。
【請求項５】
前記ゴム片として、その幅が２０〜５０ｍｍのゴム片を用いる、請求項１〜４の何れか一項に記載の空気入りタイヤの製造方法。
【請求項６】
円筒状の成形ドラム上にインナーライナーを形成した後、カーカスをその外側に巻き付けるとともに、該カーカスの幅方向両端部外側に一対のビードコアをそれぞれセットし、該一対のビードコアを互いに接近させながら該ビードコア間のカーカスを半径方向外側に膨出するとともに、カーカスの半径方向外側にベルト、トレッドゴムを配置することにより前記グリーンタイヤを成形し、
前記ゴム片を、前記インナーライナーの形成に先立って前記成形ドラム上に配置する、請求項１〜５の何れか一項に記載の空気入りタイヤの製造方法。
【請求項７】
前記加硫成形の後に、加硫済みとなったゴム片をタイヤから除去する、請求項１〜６の何れか一項に記載の空気入りタイヤの製造方法。
【請求項８】
左右一対のビードコア間にトロイダルに延びるカーカスと、カーカスのクラウン域の外周側に配設したベルトとを具える空気入りタイヤにおいて、
タイヤ赤道面における前記ベルトの半径とベルト端における該ベルトの半径との径差は、７．０ｍｍ以下であることを特徴とする空気入りタイヤ。
【発明の詳細な説明】
【技術分野】
【０００１】
この発明は、空気入りタイヤの製造方法及び空気入りタイヤに関し、より詳細には、トレッド部に配置されたベルトのフラット化を実現しようとするものである。
【背景技術】
【０００２】
一般に、空気入りタイヤの加硫成形は、加硫金型に未加硫タイヤ（グリーンタイヤ）をセットし、そのグリーンタイヤの内側に膨張可能な加硫ブラダを挿入し、このブラダ内にスチーム等の加熱媒体を供給することによりブラダを膨張させて、グリーンタイヤを加硫金型の内壁に押し付け、所定時間加熱することにより行われている。
【０００３】
ところで、近年の研究の結果、トレッド部に配置されたベルトをフラット化すること（すなわち、タイヤ赤道面におけるベルトの半径とベルト端におけるベルトの半径との径差を小さくすること）で、タイヤの転がり抵抗を低減できることが分かってきた。しかし、タイヤの加硫成形にあたり上述したようなブラダを用いる場合、加熱媒体をブラダ内部に充填すると、ブラダは丸く膨張しその中央部にて最も径が大きくなるため、それによって加硫金型に押し付けられたタイヤのベルトも丸みを帯びることとなり、ベルトのフラット化を実現することは困難であった。また、タイヤのセンター部及びサイド部がベルト端部に対応する部分に比べ先に加硫金型に押し付けられることとなるので、加硫成形時にタイヤのセンター部及びサイド部に存在する未加硫のゴムがベルト端部に対応する部分へ流れ込み易くなる結果、ゴムゲージが不均一になるという問題もある。
【０００４】
これらの問題を解消するため、特許文献１に開示されるように、加硫成形にあたりブラダに代えて剛体コアを用いることも考えられるが、この場合、大幅な設備変更が必要となるばかりかタイヤ毎に適合する剛体コアを用いる必要があり、コスト面からみて効率的とは言えなかった。
【先行技術文献】
【特許文献】
【０００５】
【特許文献１】２０００−１０８１３０号公報
【発明の概要】
【発明が解決しようとする課題】
【０００６】
それ故、この発明は、従来の加硫ブラダをそのまま用いて、ベルトのフラット化を実現可能な空気入りタイヤの製造方法を提供することをその目的とする。また、この発明の他の目的は転がり抵抗の低減した空気入りタイヤを提供することである。
【課題を解決するための手段】
【０００７】
この発明は、上記課題を解決するためになされたものであり、この発明に係る空気入りタイヤの製造方法は、加硫金型の内部にグリーンタイヤを配置し、該グリーンタイヤの内側に挿入したブラダを加熱媒体の供給により膨張させることにより、ブラダの外面をグリーンタイヤの内面に押し付けて該グリーンタイヤを加硫成形するにあたり、前記グリーンタイヤの内面と前記ブラダの外面との間であって、少なくともグリーンタイヤに埋設されたベルトの幅方向の各端部に対応する領域に、周方向に連続する帯状の未加硫のゴム片をそれぞれ介在させて前記加硫成形を行うことを特徴とするものである。
【０００８】
かかる空気入りタイヤの製造方法にあっては、加硫成形にあたり、グリーンタイヤ内部にブラダを挿入し該ブラダに加熱媒体を供給すると、グリーンタイヤは膨張したブラダによって加硫金型の内壁に押し付けられる。このとき、グリーンタイヤのベルト端部に対応する部分は、ブラダとの間にゴム片が介在していることから、このゴム片の厚み分余計に押圧されるとともに、当該部分は、センター部及びサイド部と同時に加硫金型へ押し付けられる。
【０００９】
したがって、この発明の空気入りタイヤの製造方法によれば、従来の加硫ブラダを用いた加硫成形では、加熱媒体供給時にブラダが丸く膨張しその中央部にて最も大きな径をとるという上述したブラダの膨張変形時の性質故、十分な押圧力を付与できなかったグリーンタイヤのベルト端部近傍に十分な押圧力を与えることができるので、加硫成形時においてベルトのフラット化を実現するができる。
【００１０】
なお、この発明の空気入りタイヤの製造方法にあっては、ゴム片として、該ゴム片の幅方向の中央を中心に該ゴム片の幅の５０％領域を占める中央領域内にてその厚みが最大となる最厚部を有するとともに、該最厚部から幅方向両端部に向けてその厚みが漸減するゴム片を用いることが好ましい。ここでいうゴム片の「幅」とは、グリーンタイヤに配置され、かつブラダを膨張させてグリーンタイヤを加硫金型に押し付ける前の状態において、幅方向断面にてゴム片の一端から他端までの距離をインナーライナーのペリフェリに沿って計測した長さを指すものとする。
【００１１】
また、この発明の空気入りタイヤの製造方法にあっては、ベルトの各端部と、各ゴム片の中央領域とが径方向にみて重なるようゴム片をそれぞれ配置することが好ましい。
【００１２】
さらに、この発明の空気入りタイヤの製造方法にあっては、ゴム片として、その厚みが４〜８ｍｍのゴム片を用いることが好ましい。ここでいうゴム片の「厚み」とは、グリーンタイヤに配置され、かつブラダを膨張させてグリーンタイヤを加硫金型に押し付ける前の状態におけるゴム片の幅方向断面での最大厚さを指すものとする。
【００１３】
さらに、この発明の空気入りタイヤの製造方法にあっては、ゴム片として、その幅が２０〜５０ｍｍのゴム片を用いることが好ましい。
【００１４】
さらに、この発明の空気入りタイヤの製造方法にあっては、円筒状の成形ドラム上にインナーライナーを形成した後、カーカスをその外側に巻き付けるとともに、該カーカスの幅方向両端部外側に一対のビードコアをそれぞれセットし、該一対のビードコアを互いに接近させながら該ビードコア間のカーカスを半径方向外側に膨出するとともに、カーカスの半径方向外側にベルト、トレッドゴムを配置することによりグリーンタイヤを成形し、ゴム片を、インナーライナーの形成に先立って成形ドラム上に配置することが好ましい。
【００１５】
しかも、この発明の空気入りタイヤの製造方法にあっては、加硫成形の後に、加硫済みとなったゴム片をタイヤから除去することが好ましい。
【００１６】
また、この発明の空気入りタイヤは、左右一対のビードコア間にトロイダルに延びるカーカスと、カーカスのクラウン域の外周側に配設したベルトとを具える空気入りタイヤにおいて、タイヤ赤道面における前記ベルトの半径とベルト端における該ベルトの半径との径差が、７．０ｍｍ以下であることを特徴とするものである。
【発明の効果】
【００１７】
この発明の空気入りタイヤの製造方法によれば、従来の加硫ブラダをそのまま用いて、ベルトのフラット化を実現することができるので、大幅な設備変更は必要なく、またタイヤ毎に適合する剛体コアを用いる必要もないのでコスト上大いに有利である。またこの発明の空気入りタイヤによれば、タイヤ負荷転動時におけるベルトの変形によるエネルギーロスを効果的に低減して転がり抵抗を大幅に低減することができる。
【図面の簡単な説明】
【００１８】
【図１】この発明に従う空気入りタイヤの製造方法に用いるグリーンタイヤの幅方向断面図である。
【図２】図１のグリーンタイヤを、加硫金型内に挿入してブラダによって加硫金型の内壁に押し付けた状態で示した幅方向断面図である。
【図３】図１のグリーンタイヤに適用したゴム片を拡大して示す幅方向断面図である。
【図４】この発明の実施形態の空気入りタイヤの幅方向断面図である。
【発明を実施するための形態】
【００１９】
以下、この発明の空気入りタイヤの製造方法について図面を参照しつつ詳細に説明する。ここに図１は、この発明に従う空気入りタイヤの製造方法に用いるグリーンタイヤの幅方向断面図であり、図２は、図１のグリーンタイヤを、加硫金型内に挿入してブラダによって加硫金型の内壁に押し付けた状態で示した幅方向断面図であり、図３は、図１のグリーンタイヤに適用したゴム片を拡大して示す幅方向断面図である。
【００２０】
この発明の例による製造方法では先ず、円筒状の成形ドラム（図示省略）上にインナーライナー１を形成した後、ラジアル構造のカーカス２をその外側に巻き付けるとともに、該カーカス２の幅方向両端部外側に一対のビードコア３、３をそれぞれセットし、該一対のビードコア３、３を互いに接近させながら該ビードコア３、３間のカーカス２を半径方向外側に膨出するとともに、カーカス２の半径方向外側に第１のベルト層４ａ及び第２のベルト層４ｂからなるベルト４、トレッドゴム５を配置することにより図１に示すグリーンタイヤ６を成形する。
【００２１】
また、グリーンタイヤ６の内面をなすインナーライナー１上には、ベルト４の幅方向の各端部ＥＢ（以下、「ベルト端部」といい、複数のベルト層４ａ、４ｂによりベルト４が構成されている場合は、最広幅のベルト層４ｂの端部を指すものとする）に対応する部分に、周方向に連続する帯状の未加硫のゴム片８をそれぞれ配置する。このゴム片８をインナーライナー１上に配置するにあたっては、グリーンタイヤ１の形成後に別工程として貼り付けることもできるが、所定位置により正確かつ容易に配置するためには、グリーンタイヤ６の成形工程内にて円筒状の成形ドラム上にインナーライナー１を形成するに先立って、予め成形ドラム周上の所定位置にゴム片８を巻き付け、その外周にインナーライナー１を形成することでゴム片８を配置することが好ましい。
【００２２】
次いで、図２に示すように、このようにして形成されたグリーンタイヤ６を加硫金型１０内にセットし、セットされたグリーンタイヤ６の内部に加熱媒体の供給・排出により膨張・収縮するゴム袋状のブラダ１１を挿入し、ブラダ１１を加熱媒体の供給により膨張させることにより、ブラダ１１の外面をグリーンタイヤ６の内面に押し付けて該グリーンタイヤ６の加硫成形を行う。このとき、ゴム片８は、グリーンタイヤ６のインナーライナー１内面とブラダ１１の外面との間であって、ベルト端部ＥＢに対応する部分に存在し、ブラダ１１からの押圧力によって若干の変形を伴いつつグリーンタイヤ６とともに加硫される。
【００２３】
なお、加硫金型１０は図示の例では上下分割式の金型であって、径方向外側に配置されたトレッド形成用金型１０ａと、その上下に配置された上サイド金型１０ｂ及び下サイド金型１０ｃとを備え、全体として加硫金型の内周部が凹状に形成された環状をなすものである。トレッド形成用金型１０ａは、タイヤのトレッド部の外面形状を形成する成型面が内周面に形成されており、径方向内外方向へ移動可能な多数のセグメントから構成されるものである。上下サイド金型１０ｂ、１０ｃは、それぞれ環状をなしており、タイヤのサイドウォール部等の側面形状を形成する成型面が内面に形成されている。加硫金型としてはこれに限定されず、上型及び下型のみでサイドウォール部のみならずトレッド部の成形を行うものとしても良い。
【００２４】
上述した製造方法では、同図に示すように、グリーンタイヤ６のインナーライナー１上の、ベルト端部ＥＢに対応する部分とブラダ１１との間にゴム片８を介在させるため、ブラダ１１が加熱媒体供給時に中央部を凸にして丸く膨張しても、グリーンタイヤ６のベルト端部ＥＢに対応する部分がゴム片８の厚み分余計に押圧され、つまり、当該部分がゴム片８によって径方向外側に押し上げられ、前記部分がグリーンタイヤ６のセンター部及びサイド部とほぼ同時に加硫金型に押し付けられる。
【００２５】
したがって、この製造方法によれば、従来の加硫ブラダを用いた加硫成形では、ブラダ１１が丸く膨張しその中央部にて最も径が大きくなるとの理由から、十分な押圧力を付与できなかったグリーンタイヤ６のベルト端部ＥＢ近傍に十分な押圧力を与えることができるので、加硫成形時においてベルト４のフラット化を実現するができる。
【００２６】
なお、この発明の製造方法にあっては、図３に示すように、ゴム片８として、幅方向の断面形状が半月状や三角形など端部ＥＲで厚みが漸減している形状、より詳しくは、該ゴム片８の幅方向の中央ＣＬを中心に該ゴム片８の幅ＷＲの５０％領域を占める中央領域ＣＲ内にてその厚みが最大となる最厚部８ａを有するとともに、該最厚部８ａから幅方向両端部ＥＲに向けてその厚みが漸減するゴム片８を用いることが好ましい。なぜなら、未加硫のゴム片８は、加硫成形時にブラダ１１等により強制的に変形され、初期形状に関係なく最終的には略三日月形状となるが、初期形状にてゴム片８の幅方向端部ＥＲで厚みを漸減させておかないと、ブラダ拡張時に当該端部ＥＲでの変形代が大きくなる結果、ゴム片８とブラダ１１との間に隙間が生じて空気溜りによる成型不良が生じるおそれがあるからである。
【００２７】
また、この発明の製造方法にあっては、図１に示すように、ベルト端部ＥＢと、各ゴム片８の上述した中央領域ＣＲとが径方向にみて重なるようゴム片８をそれぞれ配置することが好ましい。これによれば、ブラダ拡張時にベルト端部ＥＢをゴム片８の最厚部８ａ付近で押し上げることができるので、より効果的にベルト端部ＥＢを径方向外側に変形させることができ、より効果的にベルトのフラット化を実現できるからである。
【００２８】
さらに、この発明の製造方法にあっては、図３に示すように、ゴム片８として、その最大厚みＤ（最厚部８ａの厚み）が４〜８ｍｍのゴム片８を用いることが好ましい。なぜなら、最大厚みＤが４ｍｍ未満では、ブラダ拡張時にベルト端部ＥＢを径方向外側に押し上げる効果が低くベルト４の十分なフラット化が実現できなくなるおそれがあり、一方、８ｍｍ超えるとゴム片８によるベルト端部ＥＢの押上げ効果が大きくなり過ぎる結果、ベルト端部ＥＢにおけるゴムゲージが薄くなり、耐久性を低下させてしまうおそれがあるからである。ゴム片８の厚みＤが８ｍｍを超えると最適加硫時間が長くなり生産効率が低下するおそれがある。
【００２９】
さらに、この発明の製造方法にあっては、ゴム片８として、その幅ＷＲが２０〜５０ｍｍのゴム片８を用いることが好ましい。なぜなら、ゴム片８の幅ＷＲが２０ｍｍ未満では、ブラダ拡張時のゴム片８によるベルト端部ＥＢの押上げ効果が十分得られず、一方、５０ｍｍを超えるとベルト端部ＥＢ近傍を越えて他の部分にまで上記押上げ効果が発生してしまい、その結果ベルト４にうねりが生じてタイヤの諸性能が低下するおそれがあるからである。また、ゴム片８の幅ＷＲが５０ｍｍを超えると最適加硫時間が長くなり生産効率が低下するおそれがある。
【００３０】
さらに、この発明の製造方法にあっては、図１に示すように、ゴム片８のタイヤ幅方向内側の端部ＥＲをベルト端部ＥＢのタイヤ幅方向内側に配置するとともに、ベルト端部ＥＢの先端からゴム片８のタイヤ幅方向内側の端部ＥＲの先端までをタイヤ幅方向に沿って計測した距離をＳとしたとき、０．２５×ＷＲ（ゴム片の幅）≦Ｓ≦０．７５×ＷＲを満たすようにゴム片８を配置することが好ましい。なぜなら、距離Ｓが０．２５×ＷＲ未満では、ブラダ拡張時のゴム片８によるベルト端部ＥＢの押上げ効果が十分得られず、一方、距離Ｓが０．７５×ＷＲを超えるとベルト端部ＥＢ近傍を越えて他の部分にまで上記押上げ効果が発生してしまい、その結果ベルト４にうねりが生じてタイヤの諸性能が低下するおそれがあるからである。
【００３１】
さらに、この発明の空気入りタイヤの製造方法にあっては、ゴム片８を、インナーライナー１の形成に先立って成形ドラム上に配置することが好ましく、これによれば、特殊な治具を用いなくとも精度良くかつ容易にゴム片８をインナーライナー１上の所定位置に貼り付けることができる。
【００３２】
しかも、この発明の製造方法にあっては、加硫後のタイヤの内面には加硫済みのゴム片８が貼り付いた状態で加硫金型から取り出されることがあるが、ゴム片８がタイヤの内面に貼り付いたままでは、タイヤ重量の増大やユニフォミティの悪化が懸念され、またタイヤ負荷転動時のゴム片８の変形によるエネルギーロスにより転がり抵抗の低減効果が薄れるため、ゴム片８は加硫後にタイヤから除去することが好ましい。このため、ゴム片８を加硫後にタイヤの内面から容易に引き剥がすことができるように、ゴム片８そのものを離型性のゴム（共加硫性の低いゴム）で構成したり、あるいはゴム片８とグリーンタイヤ６のインナーライナー１との間に予め弱接着性の離型部材（図示省略）を塗布又は介在させたりしておくことが好ましい。離型部材としては、例えばブチルゴムを有機溶剤（ゴム揮発油等）で溶解してなるブチルセメントや共加硫性の低いゴムを用いることができる。
【００３３】
続いて、この発明による実施形態の空気入りタイヤについて図４を参照して説明する。この空気入りタイヤ６’は、左右一対のビードコア３、３間にトロイダルに延びるカーカス２と、カーカス２のクラウン域の外周側に配設したベルト４とを具え、タイヤ赤道面におけるベルト４の半径ＲＣとベルト端における該ベルト４の半径ＲＥとの径差Δｄが、ＪＡＴＭＡ等で規定される正規内圧を適用した状態にて、７．０ｍｍ以下である。
【００３４】
このような径差Δｄが小さい空気入りタイヤ６’では、タイヤ負荷転動時のベルト４の歪み変形によるエネルギーロスが小さいため、転がり抵抗を大幅に低減することができる。なお、上述したこの発明による空気入りタイヤの製造方法はこのような空気入りタイヤ６’の製造に特に適するものであって、該空気入りタイヤ６’を既存の加硫設備を用いたまま容易に製造することができる。
【実施例】
【００３５】
この発明による効果を確認するためベルトのフラット化及び転がり抵抗についての評価試験を行ったので、この発明の製造方法により製造されたタイヤ（以下、「実施例のタイヤ」という）と従来の方法により製造されたタイヤ（以下、「従来例のタイヤ」という）とを比較して説明する。
【００３６】
タイヤサイズが２２５／４５Ｒ１７で、図４に示す構造の空気入りラジアルタイヤを製造するときに、未加硫のグリーンタイヤを加硫金型に挿入し、金型温度を１７７℃、ブラダ内部に加熱媒体として、１７７℃のスチームを供給して１５分間加硫成形することを共通条件とし、従来例のタイヤ及び実施例のタイヤを試作した。
【００３７】
従来例のタイヤは、グリーンタイヤにゴム片を適用しないで製造したものであり、実施例１〜１６のタイヤは、ブラダとグリーンタイヤとの間であって、ベルト端部に対応する部分にゴム片を介在させ、ゴム片の種類等を表１に示すように異ならせて製造したものである。また、実施例１〜１５のタイヤは、加硫成形後にゴム片をタイヤから除去したものであるが、実施例１６のタイヤは、加硫成形後もそのままゴム片をタイヤに残留させたものである。
【００３８】
製造された各供試タイヤにつき、タイヤ内部に２３０ｋＰａ（相対圧）を付加したときの、ベルト４のタイヤ赤道面における半径ＲＣとベルト端部ＥＢの先端における半径ＲＥとの径差Δｄ（ベルトのフラット性）及び、上記各タイヤに４．４１ｋＮの荷重を加えたときの転がり抵抗をそれぞれ測定し、得られた結果を表１に示す。なお、ベルト４のフラット性については、Δｄが小さいほどよりフラットであることを示し、転がり抵抗については、従来例のタイヤにおける転がり抵抗を１００として指数表示したものであり、その数値が小さいほど転がり抵抗が小さいことを示す。
【００３９】
【表１】
2011098533.tif 000003
【００４０】
従来例のタイヤでは、ベルトがフラット化されず、転がり抵抗が低減することはなかった。これに対し、実施例１〜１６のタイヤでは、ベルトがフラット化され、一部のタイヤを除き、転がり抵抗も低減することを確認した。また、ゴム片の厚みを４〜８ｍｍとすることで、ベルトを大幅にフラット化できることを確認し、さらに、ゴム片の幅を２０〜５０ｍｍとすることにより、ベルトを大幅にフラット化できることを確認し、加えて、ゴム片の位置を０．２５×Ｗ≦Ｓ≦０．７５×Ｗとすることで、ベルトを大幅にフラット化できることを確認した。また、加硫成形後はゴム片をタイヤから除去することで転がり抵抗を大幅に低減できることを確認した。
【産業上の利用可能性】
【００４１】
以上のところからも明らかなように、この発明によれば、従来の加硫ブラダをそのまま用いて、ベルトのフラット化を実現することができるので、大幅な設備変更は必要なく、またタイヤ毎に適合する剛体コアを用いる必要もないのでコスト上大いに有利となる。また、この発明によれば、転がり抵抗が大幅に低減した空気入りタイヤを提供することができる。
【符号の説明】
【００４２】
１  インナーライナー
２  カーカス
３  ビードコア
４  ベルト
５  トレッドゴム
６  グリーンタイヤ
６’  空気入りタイヤ
８  ゴム片
１０  加硫金型
１１  加硫ブラダ
【図１】
2011098533.tif 000004
【図２】
2011098533.tif 000005
【図３】
2011098533.tif 000006
【図４】
2011098533.tif 000007